(57)【要約】【課題】階層化された設定画面から設定を行う際に、ユーザが行うべき設定の全般を容易に把握できるようにするとともに、設定の途中段階においても、設定済みの項目、現在の設定の全体の設定における位置付け、これから設定すべき項目を容易に認識できるようにする。【解決手段】本発明に係る画像形成装置によれば、操作表示部からある設定画面の表示要求が入力されると、要求された設定画面が操作表示部の表示画面上に表示される。また、表示された設定画面が階層構造で構成された複数の設定画面の一部である場合は、画面階層構造テーブルに基づき当該設定画面が含まれる階層構造の最上位階層から最下位階層の各階層で設定すべき設定項目を階層構造に対応させて表示するための表示データが作成され、当該設定画面の一部に付加して表示される。【選択図】図３
2006023454.tif 000002
【特許請求の範囲】
【請求項１】
操作表示部と、階層化された複数の設定画面をその階層構造に従って順次前記操作表示部に表示する制御手段を備えた画像形成装置において、
前記制御手段は、前記階層化された複数の設定画面を前記階層構造に従って順次前記操作表示部に表示する際に、各階層で設定すべき設定項目の少なくとも一つ以上を前記階層構造に対応させて各設定画面の一部に常に表示することを特徴とする画像形成装置。
【請求項２】
前記制御手段は、上位階層で設定済みの設定内容を上位階層の設定項目に対応させて表示することを特徴とする請求項１に記載の画像形成装置。
【請求項３】
前記制御手段は、前記各階層で設定すべき設定項目のうち、現在表示対象となっている設定画面で設定すべき設定項目を、他の階層の設定画面で設定すべき設定項目とは異なる状態で表示することを特徴とする請求項１又は２に記載の画像形成装置。
【請求項４】
前記制御手段は、下位階層の設定画面で設定すべき設定項目を上位階層の設定画面及び現在表示対象となっている設定画面の設定項目とは異なる状態で表示することを特徴とする請求項１又は２に記載の画像形成装置。
【請求項５】
操作表示部と、階層化された複数の設定画面をその階層構造に従って順次前記操作表示部に表示する制御手段を備えた画像形成装置における操作表示部の表示方法において、
前記階層化された複数の設定画面を前記階層構造に従って順次前記操作表示部に表示する際に、各階層で設定すべき設定項目の少なくとも一つ以上を前記階層構造に対応させて各設定画面の一部に常に表示することを特徴とする表示方法。
【請求項６】
上位階層で設定済みの設定内容を上位階層の設定項目に対応させて表示することを特徴とする請求項５に記載の表示方法。
【請求項７】
前記各階層で設定すべき設定項目のうち、現在表示対象となっている設定画面で設定すべき設定項目を、他の階層の設定画面で設定すべき設定項目とは異なる状態で表示することを特徴とする請求項５又は６に記載の表示方法。
【請求項８】
下位階層の設定画面で設定すべき設定項目を上位階層の設定画面及び現在表示対象となっている設定画面の設定項目とは異なる状態で表示することを特徴とする請求項５又は６に記載の表示方法。
【発明の詳細な説明】
【技術分野】
【０００１】
本発明は、操作表示部を有する画像形成装置及びその操作表示部の表示方法に関する。
【背景技術】
【０００２】
近年の複写機、プリンタ、ファクシミリ等の画像形成装置は多機能化の傾向にあるため、操作表示部に表示される各種機能の設定や実行条件の設定を行うための設定画面の種類が増えているのが現状である。一方、操作表示部の表示エリアの大きさは限られている。このため、設定画面を階層化し、各階層の設定画面を切り替えて表示させたり、下層表示の一種であるポップアップ表示をさせたりする手法が取られている。
【０００３】
このように、設定画面が階層化されている場合、従来の画像形成装置においては、現在表示されている画面がどの設定画面の下位階層に位置する画面かを表示するものがある。例えば、図９に示す枠／折り目消し画面１２０においては、当該画面が応用機能画面の下位階層に位置する画面であることを示す階層構造表示Ｄが表示されている。
【０００４】
また、階層構造を表示するものとして、例えば、特許文献１には、画像形成装置からＷＷＷサーバ内のデータを取得するために、ＷＷＷサーバが保持するデータタイトルを階層構造的に表示する構成が記載されている。
【特許文献１】特開平１１−２１２７５１号公報
【発明の開示】
【発明が解決しようとする課題】
【０００５】
ところで、従来の設定画面上における階層構造の表示では、表示されている画面がどの設定画面の下位階層に位置するかを表示するのみであるので、目的とする機能の設定や実行条件の設定を行うために全体としてどのような設定が必要で、現在の設定操作が全体で行うべき設定の中でどこに位置付けられているかをユーザが把握することができない。
【０００６】
例えば、ファイルを保存する場合、ユーザは図１０（ａ）〜図１０（ｄ）に示す設定画面１２１〜１２４を順次表示し、各設定画面の表示に従って設定操作を行うが、各設定画面の表示では、上位階層画面で何を設定したか、現在の設定操作が全体で行うべき設定の中でどこに位置付けられているか、これから何を設定すべきか不明である。
【０００７】
そのため、ユーザは、現在何を行っているのか、この先何を行えばよいのかわからず困惑するケースがあった。
【０００８】
本発明は、上記のような現状に鑑みてなされたものであって、階層化された設定画面から設定を行う際に、ユーザが行うべき設定の全般を容易に把握できるようにするとともに、設定の途中段階においても、設定済みの項目、現在の設定の全体の設定における位置付け、これから設定すべき項目を容易に認識できるようにすることを目的とする。
【課題を解決するための手段】
【０００９】
上記課題を解決するため、請求項１に記載の発明は、
操作表示部と、階層化された複数の設定画面をその階層構造に従って順次前記操作表示部に表示する制御手段を備えた画像形成装置において、
前記制御手段は、前記階層化された複数の設定画面を前記階層構造に従って順次前記操作表示部に表示する際に、各階層で設定すべき設定項目の少なくとも一つ以上を前記階層構造に対応させて各設定画面の一部に常に表示することを特徴としている。
【００１０】
請求項２に記載の発明は、請求項１に記載の発明において、
前記制御手段は、上位階層で設定済みの設定内容を上位階層の設定項目に対応させて表示することを特徴としている。
【００１１】
請求項３に記載の発明は、請求項１又は２に記載の発明において、
前記制御手段は、前記各階層で設定すべき設定項目のうち、現在表示対象となっている設定画面で設定すべき設定項目を、他の階層の設定画面で設定すべき設定項目とは異なる状態で表示することを特徴としている。
【００１２】
請求項４に記載の発明は、請求項１又は２に記載の発明において、
前記制御手段は、下位階層の設定画面で設定すべき設定項目を上位階層の設定画面及び現在表示対象となっている設定画面の設定項目とは異なる状態で表示することを特徴としている。
【００１３】
請求項５に記載の発明は、
操作表示部と、階層化された複数の設定画面をその階層構造に従って順次前記操作表示部に表示する制御手段を備えた画像形成装置における操作表示部の表示方法において、
前記階層化された複数の設定画面を前記階層構造に従って順次前記操作表示部に表示する際に、各階層で設定すべき設定項目の少なくとも一つ以上を前記階層構造に対応させて各設定画面の一部に常に表示することを特徴としている。
【００１４】
請求項６に記載の発明は、請求項５に記載の発明において、
上位階層で設定済みの設定内容を上位階層の設定項目に対応させて表示することを特徴としている。
【００１５】
請求項７に記載の発明は、請求項５又は６に記載の発明において、
前記各階層で設定すべき設定項目のうち、現在表示対象となっている設定画面で設定すべき設定項目を、他の階層の設定画面で設定すべき設定項目とは異なる状態で表示することを特徴としている。
【００１６】
請求項８に記載の発明は、請求項５又は６に記載の発明において、
下位階層の設定画面で設定すべき設定項目を上位階層の設定画面及び現在表示対象となっている設定画面の設定項目とは異なる状態で表示することを特徴としている。
【発明の効果】
【００１７】
請求項１、５に記載の発明によれば、階層化された複数の設定画面を階層構造に従って順次操作表示部に表示する際に、各階層で設定すべき設定項目の少なくとも一つ以上を階層構造に対応させて各設定画面の一部に常に表示する。従って、各階層の設定画面において、上位階層で何を設定したか、現在の設定が全体で行うべき設定のどこに位置付けられているか、これから何を設定すべきかをユーザが容易に把握することが可能となる。
【００１８】
請求項２、６に記載の発明によれば、上位階層で設定済みの設定内容をユーザが認識することが可能となる。
【００１９】
請求項３、７に記載の発明によれば、各階層で設定すべき設定項目のうち、現在表示対象となっている設定画面で設定すべき設定項目を、他の階層の設定画面で設定すべき設定項目とは異なる状態で表示するので、現在の設定が全体で行うべき設定のどこに位置付けられているかをより一層把握しやすくすることが可能となる。
【００２０】
請求項４、８に記載の発明によれば、下位階層の設定画面で設定すべき設定項目を上位階層の設定画面及び現在表示対象となっている設定画面の設定項目とは異なる状態で表示するので、これから行うべき設定項目をより一層把握しやすくことが可能となる。
【発明を実施するための最良の形態】
【００２１】
〔第１の実施の形態〕
以下、図を参照して、本発明の第１の実施の形態を詳細に説明する。
まず、構成を説明する。
【００２２】
図１に、本発明に係る画像形成装置１の機能構成例を示す。画像形成装置１は、例えば、電子写真方式の複写機であり、図１に示すように、制御部１１、操作表示部１２、画像入力部１３、画像処理部１４、画像形成部１５、通信制御部１６、後処理装置１７等により構成され、各部はバスにより接続されている。
【００２３】
制御部１１は、ＣＰＵ（Central Processing Unit）１１ａ、記憶部１１ｂ、ＲＡＭ（Random Access Memory）１１ｃ等により構成される。
【００２４】
制御部１１のＣＰＵ１１ａは、操作表示部１２の操作により、記憶部１１ｂに格納されているシステムプログラムや各種処理プログラムを読み出してＲＡＭ１１ｃ内に展開し、展開されたプログラムに従って、画像形成装置１各部の動作を集中制御する。また、ＣＰＵ１１ａは、展開されたプログラムに従って、画面表示制御処理Ａを始めとする各種処理を実行する。
【００２５】
記憶部１１ｂは、半導体の不揮発性メモリ等により構成され、画像形成装置１に対応するシステムプログラム、画面表示制御処理Ａプログラムを始めとする各種処理プログラム、各種データ等が記憶されている。
【００２６】
記憶部１１ｂは、図１に示すように、画面階層構造テーブル１１１を記憶している。また、記憶部１１ｂは、表示用データ記憶部１１２、設定情報記憶部１１３を有している。
図２に、画面階層構造テーブル１１１の一例を示す。図２に示すように、画面階層構造テーブル１１１は、階層化された複数の設定画面により設定が行われる機能又は実行条件毎に、階層化された複数の設定画面の各設定画面が位置する階層を示す階層番号（最上位階層を１として、上位階層から昇順に付した番号）、各設定画面で設定すべき設定項目を示す情報、各設定画面の設定画面名を示す情報を対応付けて記憶している。
【００２７】
表示用データ記憶部１１２は、操作表示部１２の表示画面上に表示される各設定画面を表示するための表示用データを記憶する。
設定情報記憶部１１３は、操作表示部１２の各設定画面で設定された内容を記憶する。
【００２８】
ＲＡＭ１１ｃは、ＣＰＵ１１ａにより実行されるシステムプログラム、各種処理プログラム、各処理において処理中のデータ、処理結果などを一時的に記憶するワークエリアを形成する。
【００２９】
操作表示部１２は、ＬＣＤ（Liquid Crystal Display）等により構成され、制御部１１から入力される表示信号の指示に従って表示画面上に各種設定画面や装置の状態表示、各機能の動作状況等の表示を行う。また、ＬＣＤの画面上は、透明電極を格子状に配置した感圧式（抵抗膜圧式）のタッチパネルが構成されており、手指やタッチペン等で押下された力点のＸＹ座標を電圧値で検出し、検出された位置信号を操作信号として制御部１１に出力する。なお、タッチパネルは、感圧式に限らず、他の静電式、光式等であってもよい。更に、操作表示部１２は、数字ボタン、スタートボタン等の各種操作ボタンを備え、ボタン操作による操作信号を制御部１１に出力する。なお、操作表示部１２は、操作部と表示部とが別体として構成されていてもよい。
【００３０】
画像入力部１３は、原稿を載置するコンタクトガラスの下部にスキャナを備えて構成され、原稿の画像を読み取る。スキャナは、光源、ＣＣＤ（Charge Coupled Device）等により構成され、光源から原稿へ照明走査した光の反射光を結像して光電変換することにより原稿の画像を読み取り、読み取った画像をＡ／Ｄ変換器によりデジタル画像データに変換して画像処理部１４に出力する。
【００３１】
画像処理部１４は、画像入力部１３から入力された画像データに空間フィルタ処理、拡大／縮小処理、回転処理、階調補正処理等の画像処理を施して画像形成部１５に出力する。また、通信制御部１６から入力されたプリンタコードを二値コードに変換し、変換後の画像データを画像形成部１５に出力する。
【００３２】
画像形成部１５は、パルス幅変調器、レーザ光源、感光ドラム、帯電器、現像器、給紙部、排紙部、定着装置等を備えて構成されており、画像処理部１４から入力された画像データをパルス幅変調器によりパルス幅変調してレーザ光を発光させ、帯電器により帯電された感光ドラム表面にレーザ光を照射することにより静電潜像を形成する。更に、画像形成部１５は、操作表示部１２から入力指示されたサイズ、向きの印刷用紙を給紙部から搬送し、感光ドラム表面の静電潜像を含む領域に現像器によりトナーを付着させ、搬送された印刷用紙にトナーを転写して定着させた後、排紙部から排出する。
【００３３】
通信制御部１６は、ＬＡＮ（Local Area Network）、ＷＡＮ（Wide Area Network）等の通信ネットワークに接続された伝送媒体に接続可能なインターフェースである。通信制御部１６は、例えばＬＡＮカード等の通信制御カードにより構成され、ＬＡＮケーブル等の通信回線を介して通信ネットワークに接続されたプリンタコントローラ等の外部の装置との間で制御信号、プリンタコードを始めとする各種データの送受信を行う。
【００３４】
後処理装置１７は、制御部１１からの制御信号に基づいて、画像形成された記録媒体のステープル操作、パンチ孔開け操作、ソート操作などを行う。
【００３５】
次に、本実施の形態の動作について説明する。
図３に、制御部１１により実行される画面表示制御処理Ａを示す。当該処理は、ＣＰＵ１１ａと記憶部１１ｂに格納されているプログラムとの協働によるソフトウエア処理により実現されるものである。
【００３６】
操作表示部１２からある設定画面の表示要求が入力されると（ステップＳ１）、表示用データ記憶部１１２から要求された設定画面の表示用データが読み出され、操作表示部１２の表示画面上に表示される（ステップＳ２）。
【００３７】
ここで、階層化された複数の設定画面は、上位階層の設定画面での設定が完了し、確定が入力されると、一つ下の階層の設定画面が順次表示されるようになっており、上位階層の設定画面における設定確定の入力が、一つ下の階層の設定画面に対する表示要求となる。
【００３８】
次いで、画面階層構造テーブル１１１が参照され、表示された設定画面が、階層化された、即ち、階層構造で構成された複数の設定画面の一部か否かが判断され（ステップＳ３）、階層構造で構成された複数の設定画面の一部でない場合は（ステップＳ３；ＮＯ）、本処理は終了する。
【００３９】
一方、表示された設定画面が階層構造で構成された複数の設定画面の一部である場合は（ステップＳ３；ＹＥＳ）、画面階層構造テーブル１１１から当該設定画面が含まれる階層構造の情報が抽出され、当該設定画面が含まれる階層構造の最上位階層から最下位階層の各階層で設定すべき設定項目を階層構造に対応させて表示するための表示データが作成され、当該設定画面の一部に付加して表示される（ステップＳ４）。
【００４０】
なお、ステップＳ４においては、現在表示されている設定画面の階層構造における位置を明確にするために、当該画面で設定すべき設定項目を他の設定項目とは別の色や字体で表示する、階層構造の各設定項目に対応する表示バーを設けて当該画面の設定項目に対応する部分を他と異なる色で表示する（図４（ａ）〜（ｃ）の階層構造表示Ａ参照）、当該画面で設定すべき設定項目や上述の表示バーの当該画面で設定すべき設定項目に対応する部分を点滅表示する等により、他の設定項目とは異なる状態で強調表示することが好ましい。
【００４１】
図４（ａ）〜（ｄ）は、ファイル保存機能の設定を行う際に表示される設定画面及び指示画面を示すものである。ファイル保存機能の設定を行うための設定画面は階層化されており、最上位階層に位置するフォルダ名設定画面１２１→ボックス名設定画面１２２→ファイル名設定画面１２３と、上位階層での設定が完了する毎に順次下位階層の設定画面が表示される。ユーザは、表示された設定画面に従って設定を行っていくことで、ファイル保存機能の一連の設定を完結することができる。設定が終了すると、保存するデータの原稿読み取りを指示する読み取り指示画面１２４が表示され、指示に従ってスタートボタンが押下されると、セットされた原稿が読み取られ、その画像データが設定されたフォルダ名／ボックス名／ファイル名で保存される。
【００４２】
フォルダ名設定画面１２１、ボックス名設定画面１２２、ファイル名設定画面１２３には、階層構造表示Ａが表示されている。この階層構造表示Ａには、階層構造の最上位階層に位置するフォルダ名設定画面１２１から最下位階層に位置するファイル名設定画面１２３までの各階層で設定すべき設定項目「フォルダ名；ボックス名；ファイル名」が階層構造に対応した順序で表示されている。この「フォルダ名；ボックス名；ファイル名」を表示させることにより、例えば、ユーザが現在ボックス名設定画面１２２で設定を行っている場合に、この項目表示を見て「上位階層でフォルダ名を設定済みで、現在ボックス名を設定しており、下位階層でファイル名を設定すべきである」ということを把握することが可能となる。即ち、ユーザは各階層の設定画面において、上位階層画面で何を設定したか、現在の設定操作が全体で行うべき設定の中でどこに位置付けられているか、これから何を設定すべきかを把握することが可能となる。また、各画面で設定すべき設定項目は、他の設定項目とは異なる状態で強調表示されている。この表示により、ユーザは各階層の設定画面において、上位階層画面で何を設定したか、現在の設定操作が全体で行うべき設定の中でどこに位置付けられているか、これから何を設定すべきかをより容易に把握することが可能となる。
【００４３】
以上説明したように、画像形成装置１によれば、操作表示部１２からある設定画面の表示要求が入力されると、表示用データ記憶部１１２から要求された設定画面の表示用データが読み出され、操作表示部１２の表示画面上に表示される。また、表示された設定画面が階層構造で構成された複数の設定画面の一部であるか否かが判断され、階層構造で構成された複数の設定画面の一部である場合は、画面階層構造テーブル１１１に基づき当該設定画面が含まれる階層構造の最上位階層から最下位階層の各階層で設定すべき設定項目を階層構造に対応させて表示するための表示データが作成され、当該設定画面の一部に付加して表示される。
【００４４】
従って、ユーザは、各階層の設定画面において、上位階層画面で何を設定したか、現在の設定操作が全体で行うべき設定の中でどこに位置付けられているか、これから何を設定すべきかを把握することが可能となる。
【００４５】
〔第２の実施の形態〕
以下、本発明の第２の実施の形態について説明する。なお、第２の実施の形態における画像形成装置１の構成は、第１の実施の形態で説明したのと同様であるのでその説明は省略する。
【００４６】
図５に、制御部１１により実行される画面表示制御処理Ｂを示す。当該処理は、ＣＰＵ１１ａと記憶部１１ｂに格納されているプログラムとの協働によるソフトウエア処理により実現されるものである。
【００４７】
操作表示部１２からある設定画面の表示要求が入力されると（ステップＳ１１）、表示用データ記憶部１１２から要求された設定画面の表示用データが読み出され、操作表示部１２の表示画面上に表示される（ステップＳ１２）。次いで、画面階層構造テーブル１１１が参照され、表示された設定画面が、階層化された、即ち、階層構造で構成された複数の設定画面の一部であるか否かが判断され（ステップＳ１３）、階層構造で構成された複数の設定画面の一部でない場合は（ステップＳ１３；ＮＯ）、本処理は終了する。
【００４８】
一方、表示された設定画面が階層構造で構成された複数の設定画面の一部である場合は（ステップＳ１３；ＹＥＳ）、画面階層構造テーブル１１１から当該設定画面が含まれる階層構造の情報が抽出され、設定情報記憶部１１３から上位階層の設定画面で設定済みの設定内容が読み出され（ステップＳ１４）、当該設定画面が含まれる階層構造の最上位階層から最下位階層の各階層で設定すべき設定項目を階層構造に対応させて表示するとともに上位階層において設定済みの設定内容を上位階層の設定項目に対応させて表示するための表示データが作成され、当該設定画面の一部に付加して表示される（ステップＳ１５）。
【００４９】
なお、ステップＳ１５においては、現在表示されている設定画面の階層構造における位置を明確にするために、当該画面で設定すべき設定項目を他の設定項目とは別の色や字体で表示する、階層構造の各設定項目に対応する表示バーを設けて当該画面の設定項目に対応する部分を他と異なる色で表示する、当該画面で設定すべき設定項目や上述の表示バーの当該画面で設定すべき設定項目に対応する部分を点滅表示する等により、他の設定項目とは異なる状態で強調表示することが好ましい。
【００５０】
図６（ａ）〜（ｄ）は、第２の実施の形態において、ファイル保存機能の設定を行う際に表示される設定画面及び指示画面を示すものである。フォルダ名設定画面１２１、ボックス名設定画面１２２、ファイル名設定画面１２３には、階層構造表示Ｂが表示されている。この階層構造表示Ｂは、階層構造の最上位階層に位置するフォルダ名設定画面１２１から最下階層に位置するファイル名設定画面１２３までの各階層で設定すべき設定項目「フォルダ名；ボックス名；ファイル名」が階層構造に対応した順序で表示されている。また、上位階層の設定画面で設定済みの内容が上位階層の設定項目に対応付けて表示されている。この表示により、ユーザは各階層の設定画面において、上位階層画面で何を設定したか、現在の設定操作が全体で行うべき設定の中でどこに位置付けられているか、これから何を設定すべきかを把握することが可能となる。また、上位階層で設定済みの内容をユーザが認識することが可能となる。
【００５１】
以上説明したように、画像形成装置１によれば、操作表示部１２からある設定画面の表示要求が入力されると、表示用データ記憶部１１２から要求された設定画面の表示用データが読み出され、操作表示部１２の表示画面上に表示される。また、表示された設定画面が階層構造で構成された複数の設定画面の一部か否かが判断され、階層構造で構成された複数の設定画面の一部である場合は、画面階層構造テーブル１１１に基づき当該設定画面が含まれる階層構造の最上位階層から最下位階層の各階層で設定すべき設定項目を階層構造に対応した順序で、上位階層で設定された内容とともに表示するための表示データが作成され、当該設定画面の一部に付加して表示される。
【００５２】
従って、ユーザは、各階層の設定画面において、上位階層の画面で何を設定したか、現在の設定操作が全体で行うべき設定の中でどこに位置付けられているか、これから何を設定すべきかを把握することが可能となる。また、上位階層で設定済みの内容をユーザが認識することが可能となる。
【００５３】
〔第３の実施の形態〕
以下、本発明の第３の実施の形態について説明する。なお、第３の実施の形態における画像形成装置１の構成は、第１の実施の形態で説明したのと同様であるのでその説明は省略する。
【００５４】
図７に、制御部１１により実行される画面表示制御処理Ｃを示す。当該処理は、ＣＰＵ１１ａと記憶部１１ｂに格納されているプログラムとの協働によるソフトウエア処理により実現されるものである。
【００５５】
操作表示部１２からある設定画面の表示要求が入力されると（ステップＳ２１）、表示用データ記憶部１１２から要求された設定画面の表示用データが読み出され、操作表示部１２の表示画面上に表示される（ステップＳ２２）。次いで、画面階層構造テーブル１１１が参照され、表示された設定画面が、階層化された、即ち、階層構造で構成された複数の設定画面の一部か否かが判断され（ステップＳ２３）、階層構造で構成された複数の設定画面の一部でない場合は（ステップＳ２３；ＮＯ）、本処理は終了する。
【００５６】
一方、表示された設定画面が階層構造で構成された複数の設定画面の一部である場合は（ステップＳ２３；ＹＥＳ）、画面階層構造テーブル１１１から当該設定画面が含まれる階層構造の情報が抽出され、当該設定画面が含まれる階層構造の最上位階層から最下位階層の各階層で設定すべき設定項目を階層構造に対応させて表示するための表示データが作成され、当該設定画面の一部に付加して表示される（ステップＳ２４）。また、画面階層構造テーブル１１１に基づいて、下位階層で設定すべき項目があるか否かが判断され（ステップＳ２５）、下位階層で設定すべき項目がある場合は（ステップＳ２５；ＹＥＳ）、下位階層で設定すべき項目が他の階層、即ち、上位階層の設定画面及び現在表示対象となっている設定画面の設定項目とは異なる状態で表示される（ステップＳ２６）。例えば、下位階層で設定すべき項目が他の階層の設定項目と異なる色や字体で表示される、階層構造の各設定項目に対応する表示バーを設けて下位階層で設定すべき設定項目に対応する部分が他と異なる色で表示される、下位階層で設定すべき設定項目や上述の表示バーの下位階層で設定すべき設定項目に対応する部分が点滅表示される等により、他の設定項目とは異なる状態で強調表示される。
【００５７】
図８（ａ）〜（ｄ）は、第３の実施の形態において、ファイル保存機能の設定を行う際に表示される設定画面及び指示画面を示すものである。フォルダ名設定画面１２１、ボックス名設定画面１２２、ファイル名設定画面１２３には、階層構造表示Ｃが表示されている。この階層構造表示Ｃは、階層構造の最上位階層に位置するフォルダ名設定画面１２１から最下位階層に位置するファイル名設定画面１２３までの各階層で設定すべき設定項目「フォルダ名；ボックス名；ファイル名」が階層構造に対応した順序で表示されている。また、下位階層で設定すべき設定項目が他の階層の設定項目とは異なる状態で表示されている。この表示により、ユーザは各階層の設定画面において、上位階層画面で何を設定したか、現在の設定操作が全体で行うべき設定の中でどこに位置付けられているかを知ることができる。また、これから設定すべき設定項目を明確にすることが可能となる。
【００５８】
以上説明したように、画像形成装置１によれば、操作表示部１２からある設定画面の表示要求が入力されると、表示用データ記憶部１１２から要求された設定画面の表示用データが読み出され、操作表示部１２の表示画面上に表示される。また、表示された設定画面が階層構造で構成された複数の設定画面の一部か否かが判断され、階層構造で構成された複数の設定画面の一部である場合は、画面階層構造テーブル１１１に基づき当該設定画面が含まれる階層構造の最上位階層から最下位階層の各階層で設定すべき設定項目を階層構造に対応させて表示するための表示データが作成され、当該設定画面の一部に付加して表示される。更に、下位階層で設定すべき項目があるか否かが判断され、下位階層で設定すべき項目がある場合は、下位階層で設定する項目が他の階層の設定項目とは異なる状態で表示される。
【００５９】
従って、ユーザは、各階層の設定画面において、上位階層の画面で何を設定したか、現在の設定操作が全体で行うべき設定の中でどこに位置付けられているかを知ることができ、更に、これから設定すべき設定項目を明確にすることが可能となる。
【００６０】
なお、上記第１〜第３実施の形態における記述内容は、本発明に係る画像形成装置１の好適な一例であり、これに限定されるものではない。
【００６１】
例えば、上記第２の実施の形態と第３の実施の形態を組み合わせ、階層構造表示において、上位階層で設定された設定内容を表示するとともに、下位階層で設定すべき項目を他の設定項目と異なる状態で表示するようにしてもよい。
【００６２】
また、各階層の設定項目を表示する際には、上記第１〜第３の実施の形態のように、上位階層から下位階層の各階層で設定すべき設定項目を全て表示することが好ましいが、これに限定されるものではなく、例えば、階層数が多く全階層の設定項目を表示不可能な場合においては、各階層の設定項目のうち一部を画面上に表示するようにしてもよい。また、この場合、画面上に表示されていない設定項目をユーザの操作に応じて表示できるようにしてもよい。
【００６３】
その他、画像形成装置１を構成する各装置の細部構成及び細部動作に関しても、本発明の趣旨を逸脱することのない範囲で適宜変更可能である。
【図面の簡単な説明】
【００６４】
【図１】本発明に係る画像形成装置１の機能的構成を示すブロック図である。
【図２】図１の画面階層構造テーブル１１１のデータ格納例を示す図である。
【図３】図１の制御部１１により実行される画面表示制御処理Ａを示すフローチャートである。
【図４】第１の実施の形態におけるファイル保存機能の設定を行う際に表示されるフォルダ名設定画面１２１、ボックス名設定画面１２２、ファイル名設定画面１２３、及び読み取り指示画面１２４の一例を示す図である。
【図５】図１の制御部１１により実行される画面表示制御処理Ｂを示すフローチャートである。
【図６】第２の実施の形態におけるファイル保存機能の設定を行う際に表示されるフォルダ名設定画面１２１、ボックス名設定画面１２２、ファイル名設定画面１２３、及び読み取り指示画面１２４の一例を示す図である。
【図７】図１の制御部１１により実行される画面表示制御処理Ｃを示すフローチャートである。
【図８】第３の実施の形態におけるファイル保存機能の設定を行う際に表示されるフォルダ名設定画面１２１、ボックス名設定画面１２２、ファイル名設定画面１２３、及び読み取り指示画面１２４の一例を示す図である。
【図９】従来の設定画面上における階層構造の表示の一例を示す図である。
【図１０】従来のファイル保存機能の設定を行う際に表示されるフォルダ名設定画面１２１、ボックス名設定画面１２２、ファイル名設定画面１２３、及び読み取り指示画面１２４の一例を示す図である。
【符号の説明】
【００６５】
１  画像形成装置
１１  制御部
１１ａ  ＣＰＵ
１１ｂ  記憶部
１１ｃ  ＲＡＭ
１１１  画面階層構造テーブル
１１２  表示用データ記憶部
１１３  設定情報記憶部
１２  操作表示部
１３  画像入力部
１４  画像処理部
１５  画像形成部
１６  通信制御部
１７  後処理装置
【図１】
2006023454.tif 000003
【図２】
2006023454.tif 000004
【図３】
2006023454.tif 000005
【図４】
2006023454.tif 000006
【図５】
2006023454.tif 000007
【図６】
2006023454.tif 000008
【図７】
2006023454.tif 000009
【図８】
2006023454.tif 000010
【図９】
2006023454.tif 000011
【図１０】
2006023454.tif 000012